(57)【要約】【課題】    設置、撤去が簡便であり、無動力で作動音をたてず、容器が一杯になるまで連続的にネズミを捕殺し続ける、ネズミ捕獲装置。【解決手段】    ネズミを音と匂いでおびき寄せ、小穴を好む習性を利用して筒の入口に誘い込み、筒の全長に亘ってその内上面から垂れ下がる、出口方向だけに可倒性がある鋭い長短の針の列によって強制的に出口に向かって進ませ、比重が空気より重い不活性ガスを満たした容器に落とし、窒息死させる。開閉機構によらない間断のない捕獲プロセスを実現することにより、設置場所周辺のネズミを一掃することができる。【選択図】図１
2010011828.tif 000002
【特許請求の範囲】
【請求項１】
駆除対象とする種類のネズミの成体が通り抜けることができ、且つ途中でＵターンできない程度の内径の筒の内部に、筒の全長に亘って、鋭利な先端を持ち長さの異なる多数の金属製の針を、筒の内上面から垂れ下がるように取り付け、この針に出口方向のみへの可倒性を持たせ、筒の出口にネズミを収納する容器を取り付けた、ネズミ捕獲装置。
【請求項２】
筒の入口側から１本目の針として、出口方向に向けて弓なりに反った、鋭利な先端を持つ金属製の針を、筒の内上面から垂れ下がるように取り付け、この針に出口方向のみへの可倒性を持たせた、請求項１のネズミ捕獲装置。
【請求項３】
気密性の容器の上部に、請求項１または請求項２記載の筒の出口を貫入させて取り付け、容器の中に炭酸ガスやフロンガス等の空気より比重が重い不活性ガスを満たした、請求項１及び請求項２のネズミ捕獲装置。
【請求項４】
飼育下にある、駆除対象とする種類のネズミの多頭数の群れを、一時的に飢餓状態とし、次いでこれに餌を与え、群れが争うように食餌する音を録音し、この音をネズミ収納容器に取り付けたＩＣレコーダーから連続再生し、筒の入口からこの音が漏れ出るようにした、請求項１及び請求項２及び請求項３のネズミ捕獲装置。
【請求項５】
筒の内部に、ネズミの好む餌の匂いを付けた、請求項１及び請求項２及び請求項３及び請求項４のネズミ捕獲装置。
【発明の詳細な説明】
【技術分野】
【０００１】  本発明は、イエネズミ、特にクマネズミの駆除に関するものであり、屋内に設置して、収納容器の容量一杯に達するまで、無動力で連続的にネズミを捕殺し続けるものである。
【背景技術】
【０００２】  従来、クマネズミの業務用の駆除方法は、粘着シートを床に敷き詰める方法が主流であり、再使用できず、また人が誤って踏んだり、転んだりしたら始末に困るという、不経済且つ扱いづらいものであった。また、器械式のネズミ罠は、１方向性の可動板や、シーソー機構によって一匹ごとに捕獲する方式か、網籠の中におびき寄せて捕らえるものが主流であり、生息数が多い場所に使用する業務用としては能力不足である上、捕獲したネズミを屠殺するという、不快な後始末の必要があった。
【特許文献】
【０００３】  特許公表２００１−５２３１００の、『ネズミ、ハツカネズミ等を捕らえる方法及び器具』においては、本発明に外見上似ているものの、『作動機構』『入口装置』『検出ユニット』等の動力機構によって作動するものであり、無動力で作動する本発明とは異なるものである。
【発明の開示】
【発明が解決しようとする課題】
【０００４】  設置、撤去が簡単であり、ネズミの行く手を遮るという逆効果な面もある１方向性の可動板や、断続的な作動によってネズミに警戒感を与えるシーソー機構によらず、無動力で作動音をたてず、容器が一抔になるまで連続的にネズミを獲り続けるネズミ捕獲装置。及び捕獲したネズミを、人手を煩わせることなく屠殺する、ネズミ捕殺装置である。
【課題を解決するための手段】
【０００５】  駆除対象とするネズミの成体が通り抜けることができ、且つ中でＵターンできない程度の内径の筒の中に、筒の全長に亘って、鋭い金属製の長短の針を筒の内上面から垂れ下がるように取り付け、この針に出口方向のみへの可倒性を持たせ、筒の出口にネズミを収納する容器を取り付けた。ネズミが筒の入口から入ると、針はネズミに押されて前上方に押し上げられ抵抗無く前に進めるが、後退りすると後から刺さり、立ち止まっても短い針が背中をチクチクと刺激するため、前に進み続けるしかなく、自動的に前方に突進し、出口の先の収納容器の中に飛び出してしまう。【０００６】  また請求項２においては、筒の入口側から１本目の針として、出口方向に向けて弓なりに反った鋭い金属製の針を、内上面から垂れ下がるように取り付けた。これによって、ネズミが入口から少し身を乗り入れ、中を窺うように前後に身を揺らせても、ネズミに押し上げられた針の弓なりの曲線がネズミの背中で前後に滑るため、ネズミに余計な警戒心を与えずに、筒の中に進ませることができる。中に入ってしまうと、弓なりの針はネズミの真後ろに先端を向けて後退を阻止する。【０００７】  また請求項３においては、気密性の容器の上部に、請求項１または請求項２記載の筒の出口を貫入させて取り付け、容器の中に空気より比重の重い炭酸ガスやフロンガス等の不活性ガスを満たした。これにより、筒の中を前方に向かって突進するネズミが容器の中に落ち、速やかに窒息死する。なお、容器の上部は筒によって外気に開放されているが、炭酸ガスやフロンガスは容器の下部に溜まるので拡散希釈しない。【０００８】  また請求項４においては、請求項１から３のネズミ捕獲装置のネズミ収納容器にＩＣレコーダーを取り付け、ネズミの興味を惹く音を連続再生させるようにし、この音源として、飼育下にある、駆除対象とする種類のネズミの多頭数の群れを、一時的に飢餓状態とし、次いでこれに餌を与え、群れが争うように食餌する音を録音して用いる。これにより、筒の入口から聞こえる音に惹かれてネズミが入口の周りに集まり、筒の中に誘導される。【０００９】  また請求項５においては、請求項１から４のネズミ捕獲装置の筒の中に、ネズミの好む餌の匂いを付けた。これにより、請求項４のＩＣレコーダーの音と併せ、強力なネズミ誘引効果を発揮する。
【発明の効果】
【００１０】  本発明は、ネズミを音と匂いでおびき寄せ、小穴を好む習性を利用して筒の入口に誘い込み、筒内に並ぶ、出口方向にしかなびかない針の列によって、強制的に出口に向けて進ませ、比重の重い不活性ガスを満たした容器に落として窒息死させる。このサイクルが連続するので、設置場所周辺のネズミを一掃することができる。また、設置及び撤去も簡便にできる。
【発明を実施するための最良の形態】
【００１１】  図１は本発明の側面図である。底が深い広口ビン型の容器５の蓋６に、一方の断端が鋭角に曲がった筒１の、曲がった断端を下向きに貫入させ、筒１のもう一端を床面に下ろし、容器５内に開口する側を出口とし、床面に開口する側を入口２とする。【００１２】  筒１には全長に亘って、その内上面から鋭い金属製の長短の針４が垂れ下がっており、これらの針はすべて出口方向のみへの可倒性を持つ。また、入口２側から１本目の弓形の針３のみ、出口側に向かって弓なりに反っている。【００１３】  容器５の内部には、炭酸ガスやフロンガスのような、空気より比重が重い不活性ガス８を満たしてある。【００１４】  容器５の蓋６には、ＩＣレコーダー７が取り付けられ、容器５の中に向けてネズミの興味を惹く音を連続再生し、音が入口２から漏れ出るようにする。音源は、駆除対象とする種類のネズミの群れが、飢餓状態で餌に群がり、争うように食餌する際の音を録音して用いる。【００１５】  筒１の内側に、例えば果物の腐熟臭のような、ネズミが好む匂いを付ける。【００１６】  筒１の内径は、駆除対象とするネズミの成体が通り抜けることができ、且つ途中でＵターンできない程度の径とする。例えばクマネズミに対しては、内径４センチメートル程度である。【００１７】  図２は筒１の入口２側の詳細な側面図であり、図３はその断面図であって、併せて長短の針４と弓形の針３の、最も簡単な仕様を表している。すなわち、１本の針をＶ字型に折り曲げ、折れ目の内側に回転軸１１を直角に取り付け、筒１の上面に開けた小穴から、Ｖ字型に曲げた弓形の針３及び長短の針４の先端側を垂らし、且つ鈍端側を出口方向に向け、回転軸１１を小穴の左右の軸受け１２に通す。これにより、長短の針４と弓形の針３は、ネズミに押されると、出口方向に向けてなびくように軽く押し上げられ、バネを使わずに自重だけで複座し、入口側には動かない。
【図面の簡単な説明】
【００１８】
【図１】  本発明の側面図である。
【図２】  本発明の１部を拡大した側面図である。
【図３】  本発明の断面図である。
【符号の説明】
【００１９】  １  筒
２  入口
３  弓形の針
４  長短の針
５  容器
６  蓋
７  ＩＣレコーダー
８  空気より比重の重い不活性ガス
９  ネズミ
１０  窒息死したネズミ
１１  回転軸
１２  軸受け
【図１】
2010011828.tif 000003
【図２】
2010011828.tif 000004
【図３】
2010011828.tif 000005